(57)【要約】【課題】ハイライト・カラーを、モノクローム文書に追加する。【解決手段】カラー化ルールを入力し、以前に印刷されたモノクロマチックの文書を走査して、ラスタ化されたデータを特定(locate)し、ラスタ化されたデータについて光学的文字認識を実行して、テキストを生成し、カラー化ルールに従って、ラスタ化されたデータの部分を自動的にカラー化して、カラー化された電子文書を生成し、そして、カラー化された電子文書を出力する、ステップを含む方法。【選択図】図１
2008259199.tif 000002
【特許請求の範囲】
【請求項１】
カラー化ルールを入力し、
以前に印刷されたモノクロマチックの文書を走査して、ラスタ化されたデータを特定(locate)し、
前記ラスタ化されたデータについて光学的文字認識を実行して、テキストを生成し、
前記カラー化ルールに従って、前記ラスタ化されたデータの部分を自動的にカラー化して、カラー化された電子文書を生成し、そして、
前記カラー化された電子文書を出力する、
ステップを含む方法。
【請求項２】
カラー化ルールを入力するステップであって、当該カラー化ルールが、以前に印刷されたモノクロマチックの文書の各ページの事前に定義された(pre-defined)領域内で発生する(occurring)テキストに関連する全てのラスタ・データを自動的にカラー化するルールを含むものであり、
前記以前に印刷されたモノクロマチックの文書を走査して、ラスタ化された(rasterized)データを特定(locate)するステップ、
前記ラスタ化されたデータについて（on）光学的文字認識を実行して、テキストを生成するステップ、
前記カラー化ルールによって、前記ラスタ化されたデータの部分を自動的にカラー化して、カラー化された電子文書を生成するステップ、及び、
前記カラー化された電子文書を出力するステップ、
を含む方法。
【請求項３】
カラー化ルールを入力するステップであって、当該カラー化ルールが、所定のラスタ画像を自動的にカラー化するルールを含むものであり、
以前に印刷されたモノクロマチックの文書を走査して、ラスタ化された(rasterized)データを特定(locate)するステップ、
前記ラスタ化されたデータを走査して、前記所定のラスタ画像の発生(occurrrence)を特定するステップ、
前記所定のラスタ画像の前記発生を自動的にカラー化して、カラー化された電子文書を生成するステップ、そして、
前記カラー化された電子文書を出力するステップ、
を含む方法。
【請求項４】
以前に印刷されたモノクロマチックな文書に関するカラー化ルールを受け取るようにされたグラフィック・ユーザ・インターフェース、
作動可能に、前記グラフィック・ユーザ・インターフェースに接続され、前記以前に印刷されたモノクロマチックな文書を走査して、ラスタ化されたデータを特定(locate)するようにされたスキャナ、
作動可能に、前記スキャナに接続され、前記ラスタ化されたデータを記憶するようにされたメモリ、
作動可能に、前記メモリに接続され、前記ラスタ化されたデータに対して光学的文字認識プログラムを実行して、前記以前に印刷されたモノクロマチックな文書に対応するテキストを探索するようにされた中央処理ユニットであって、当該中央処理ユニットが、更に、前記カラー化ルールによって、前記ラスタ化されたデータの部分を、自動的にカラー化して、カラー化された電子文書を生成するようにされる
ものであり、及び、
作動可能に、前記中央処理ユニットに接続され、前記カラー化された電子文書を印刷するようにされたプリンタ、
を備えるシステム。
【請求項５】
コンピュータによって実行されるときに、コンピュータに、
カラー化ルールを入力し、
以前に印刷されたモノクロマチックな文書であって、ラスタ化されたデータを特定する（locate）ためのラスタ・コンテントを含む文書を走査し、
前記ラスタ化されたデータに対して（on）光学的文字認識を実行して、前記ラスタ・コンテントに対応するテキストを生成し、
前記カラー化ルールによって、前記ラスタ化されたデータの部分を自動的にカラー化して、カラー化された電子文書を生成し、そして、
前記カラー化された電子文書を出力する、
ステップを含む方法を実行させる命令を記憶する、コンピュータで使用可能なデータ・キャリア(data carrier)を含むコンピュータ・プログラム製品。
【発明の詳細な説明】
【技術分野】
【０００１】
本出願の実施例は、全体として、文書をカラー化するシステムに関連し、より詳細には、モノクロの文書の一部を自動的にカラー化するために、事前に確立されたルールを与える、モノクローム(単一カラー印刷)の印刷された文書にカラーを追加する方法に関連する。
【背景技術】
【０００２】
ハイライト・カラーを、モノクローム文書に追加することは、印刷ショップが、彼らの顧客の手持ちのモノクロームの文書に価値を追加することが可能な方法の１つである。従来的なシステムを用いた場合、モノクロームの印刷ジョブをカラー化するために、エディタで各印刷ジョブがオープンされ、個々のオブジェクトが１つずつカラー化される。この工程が、多くの場合に、ハイライト・カラーへの移行をコスト的に困難にしている。更に、そのようなシステムは、ソースの文書が、ポータブルなドキュメント言語(ＰＤＬ)フォーマットではなく、定義された個別の（discreet）オブジェクトの特性(properties)を持たない、スキャンされた文書であるような場合に集中する。そして、そのようなシステムは、個別の(discreet)オブジェクトの特性が、ＰＤＬファイルを検査することによって識別され得るような、電子フォーマットでは旨く動作しない。
【発明の開示】
【課題を解決するための手段】
【０００３】
ここに記載される実施例は、モノクローム文書を自動的にカラー化するための、ユーザが定義するルールを適用する(applying)ための方法、コンピュータプログラム、サービス、及び、システムの組(a series of)を提供する。カラー化されるべき文書の内容に依存して、ルールは、位置、対象の特性(object properties)、又は、他のユーザが定義する基準(criteria)、に基づき得る。一旦ルールが指定されると、システムは、与えられた文書における対象に対してそれらを評価し、指定されたカラー化を適用(apply)する。
【０００４】
より詳細には、ここでの実施例は、カラーを、モノクローム(単一カラーの印刷)の印刷された文書に追加する方法を含む。１つの方法は、以前に印刷されたモノクロマチックの文書に関連するカラー化ルールを入力／生成し、以前に印刷されたモノクロマチックの文書を走査して、ラスタ化された(rasterized)データを探すことによって開始する。走査の後に、本方法は、ラスタ化されたデータについての光学的文字認識を実行して、以前に印刷されたラスタ内容に対応するテキスト(text)を生成する。以上は、いかなる順序でも実行され得るが、ルールが入力されてテキストデータが生成された後の、いずれかのポイントにおいて、本方法は、カラー化ルールに従って、モノクロマチックの電子文書内の、ラスタ化された内容(content)の一部を自動的にカラー化し、これによって、カラー化された電子文書(electronic document)が生成される。次に、光学的文字認識から得られたデータは、一時的にのみ必要とされるので、カラー化の後に、本方法は、光学的文字認識データを削除する。
【０００５】
ここの実施例に適用される、多くの異なったカラー化ルールが存在し得る。例えば、カラー化ルールは、選択されたフォント・タイプのテキストに関連する全てのラスタデータを自動的にカラー化するルールを含み得る。ここでの目的のために、「フォント・タイプ」が、一般的にはフォントと関連しない、メタデータのタイプを意味し得ることが理解されるべきである。例えば、Helvetica, Arial, Gil Sans, が、タイプSans Serifのフォントであり、Times, Berkeley, 及び、Bookmanが、タイプSerifのフォントである。
ここでの実施例は、この情報を記憶部(storage)内に維持し、この情報を使用して、フォントを特定のタイプに分類(classify)し、次に、分類されたフォントのタイプをカラー化する。より従来的なフォント特性とこれらの特性は、ＯＣＲと共に使用され得、どの文書テキストがカラー化されるべきかを決定し得る。これに加えて、フォント・メタデータ(例えば、Serif, Sans Serif分類)が、ＯＣＲを伴って、又は、伴わないで、使用され得ることにも留意して欲しい。或いは、(又は、以上と共に)カラー化ルールは、モノクロマチック電子文書内で発生している全てのフォント・タイプを決定し、モノクロマチック電子文書において、所定の頻度(frequency)で、どのフォント・タイプが発生するかを決定し、少なくとも所定の頻度で発生するフォント・タイプを有するテキストに関連するラスタ・データを自動的にカラー化するルールを含み得る。同様に、カラー化ルールは、モノクロマチック電子文書内で発生する全てのフォント・タイプを決定し、どの異なったフォント・タイプが、モノクロマチック電子文書内で発生するかの頻度を決定し、そして、モノクロマチック電子文書内で少なくとも頻繁に発生するフォントを有するテキストに関連するラスタ・データを自動的にカラー化する、ルールを含み得る。
【０００６】
また、カラー化ルールは、特定のテキスト・ストリングの全ての発生に関連するラスタ・データを自動的にカラー化するルールを含み得る。更に、カラー化ルールは、以前に印刷されたモノクロマチックな文書の各ページの、事前に定義された領域内で発生するテキストに関連する全てのラスタ・データを自動的にカラー化するルールを含み得る。
【０００７】
他の実施例において、やはり、カラー化ルールを入力／生成する方法が適用される。しかし、これらのカラー化ルールは、ロゴ等のような、所定のラスタ画像を自動的にカラー化するルールを含む。上述のものと類似のやり方で、事前に印刷されたモノクロマチックな文書が走査されて、ラスタ化されたデータを生成する。しかし、このラスタ化されたデータは、光学的文字認識工程を加えられる(subjected to)必要が無い。代わりに、方法は、ラスタ化されたデータを探索して、所定のラスタ画像の発生を特定(locate)し、所定のラスタ画像の発生を自動的にカラー化して、カラー化された電子文書を生成する。次に、方法は、ロゴの各発生に伴ってカラーで印刷されるように、カラー化された電子文書を印刷できる。
【０００８】
他の変形例において、カラー化ルールは、更に、ラスタ化されたデータの各ページの所定の領域内で発生する所定のラスタ画像の発生(occurrences)だけをカラー化するルールを含み得る。同様に、カラー化ルールは、更に、所定のラスタ画像の発生のカラー化に加えて、以前に印刷されたモノクロマチックの文書の各ページの事前に規定された領域内で発生する、全てのラスタ化された画像を自動的にカラー化するルールを含み得る。
【０００９】
更なる実施例は、ラスタ化されたデータ内で再発生するラスタ画像を自動的に特定(identify)し、少なくとも所定の頻度で再発生する、再発生するラスタ画像の１つを自動的にカラー化するカラー化ルールを含み得る。また、カラー化ルールは、更に、ラスタ化されたデータ内で再発生（recurring）するラスタ画像を自動的に特定(identify)し、選択のために、再発生するラスタ画像をユーザに提供し、そして、ユーザによって選択された、再発生するラスタ画像の１つを自動的にカラー化するルールを含み得る。同様に、ここの実施例において、ノックアウト・テキスト(knockout text)(これらは、一般的に、セクション・ヘッダ又はタイトル・バーとして用いられる)を含む矩形のカラー化が提供されて、白のテキストを含むボックス(黒又はグレイ)をカラー化する。
【００１０】
他の実施例は、以前に印刷されたモノクロマチック文書に関連するカラー化ルールを受信するようにされた、グラフィック・ユーザ・インターフェースを含むシステムを備える。本システムは、グラフィック・ユーザ・インターフェースに作動可能に接続されたスキャナをも含む。スキャナは、以前に印刷されたモノクロマチックな文書を走査して、ラスタ化されたデータを特定(locate)するようにされる。作動可能にスキャナに接続されたメモリが、システム内に提供される。メモリは、ラスタ化されたデータを記憶するようにされる。
【００１１】
システムの実施例は、作動可能にメモリに接続され、ラスタ化されたデータに対して(on)光学的文字認識プログラムを実行して、以前に印刷されたモンクロマチックな文書に対応するテキストを生成するようにされた、中央処理ユニットを有する。中央処理ユニットは、更に、電子文書として出力又は印刷され得る、カラー化された電子文書を生成するためのカラー化ルールに従って、自動的に、モノクロマチックの電子文書内の、ラスタ化されたコンテントの部分をカラー化するようにされる。いくつかの実施例において、もし、カラー化された文書が印刷されるべきものならば、中央処理ユニットに作動可能に接続されたプリンタが含まれる。中央処理ユニットは、中央処理ユニットが、カラー化された電子文書を出力した後に、光学的文字認識を削除するようにされる。
【００１２】
これらの、及び、他の特徴が、以下の詳細な説明に記載され、又は、そこから明白である。
【発明を実施するための最良の形態】
【００１３】
システム及び方法の種々の模範的実施例が、添付の図面を参照して、以下に詳細に説明される。
【００１４】
本願の実施例は、モノクロマチックな走査された文書のカラー化を可能とするための、工程、システム、サービス、コンピュータ・プログラム等を提供する。コンテントの選択的カラー化のための以下の方法は、一般的に、以下により詳しく説明されるように、本願の実施例によって適用される。
【００１５】
１つの状況において、本願の実施例は、光学的文字認識(ＯＣＲ)アルゴリズムを、走査されたページに適用して、テキスト、テキスト特性、及び、座標（coordinates）を導出(derive)し、次に、カラー化ルールに基づいて、カラー・テキストを導出する。例えば、本願実施例は、スキャナからラスタ入力を受信して、ＯＣＲを実行し、入力文書のどの領域が、テキストを含むかを決定し、そのテキストの特性(properties)を決定する。システムは、ＯＣＲを使用して、内文書のテキスト領域を発見するので、ユーザは、カラー化を受け取るものではない、文書内のフォントのタイプ(例えば、Serif, Sans Serif, 表示タイプ(Display type)等)に関するもののような、カラー化ルールを指定することを許される。この例において、ユーザは、フォント・サイズ、スタイル等のような特性に基づく、テキストのカラー化についてのルールを指定できる。次に、テキスト特性は、カラー化ルールに対して評価される。もし、システムが、ルールに従ってカラー化されるべきテキストを発見するならば、システムは、ユーザによる、テキストの各項目(item)の特定の識別(identification)を要求すること無しに、そのカラー化を、発見されたテキストに一致する、ソース・ラスタ・コンテント(source raster content)に適用する。従って、ここにおける実施例は、実際にはテキストをカラー化せず、むしろ、ここの実施例は、テキストを使用して、カラー化されるべきラスタ文書内のコンテントの領域を識別(identify)する。識別されたテキストは、レイアウト内の特定の座標(coordinates)にあり、これは、カラー化されるべきラスタ内のコンテントを発見するために、ここの実施例が使用する情報である。テキスト自体は、カラー化の後に破棄される。コンテント・マッチングのタイプは、他の用途の他に、カラー化されるべき章／節のタイトルを発見するために使用され得る。他の状況において、ここの実施例は、所定の画像の実例(instances)を識別し、文書中の至る所(throughout)で、所定の画像をカラー化するために、パターン・マッチングを使用する。例えば、本特徴は、ロゴ画像等(例えば、ラスタ化されたグラフィックス)をマッチさせる。この場合において、ユーザは、後続のページで、及び、潜在的に多くの異なった文書でカラー化されるべき、ラスタ化されたグラフィックスを含む文書の領域を識別する。一旦、この領域が識別されると、システムは、この領域内のラスタ・データを、永続的位置(persistent location)内の別個の画像として格納する。他の文書が、カラー化工程に提出される(submitted)ときに、システムは、以前に識別された画像に一致するラスタ・パターンを探して、全てのページに目を通す(looks through)。文書内の他の場所での一致する画像(又は、他の文書に発見されるもの)は、次に、ユーザが、マニュアルで、グラフィカル画像の各発生をカラー化することを要求すること無しに、自動的にカラー化される。コンテント・マッチングのこのタイプは、技術マニュアル、訓練マニュアル、等のような、文書の集合の中でカラー化されるべき、ロゴ及び他のグラフィカル要素(ブレット・シンボル、水平定規、垂直定規(rules))を発見するために使用され得る。
【００１６】
他の状況において、ここの実施例は、コンテント・マッチングを使用して、文書中至る所の、所定のテキスト・ストリングの実例を識別する。この場合には、ユーザは、実施例は、コンテント・マッチングを使用して、文書中至る所の、特定のテキスト・ストリングのカラー化についてのルールを指定する。システムは、ラスタ入力を受け取り、入力文書の、どの領域が、特定のテキストを含むかを決定するために、ＯＣＲを実行する。次に、指定されたテキストは、ユーザが、テキストの各実例(instance)を選択する必要無しに、又は、サーチ及び置換オペレーションを実行すること無しに、カラー化される。従って、ここの実施例によれば、もし、システムが、ルール（rules）に従ってカラー化されるべきテキストを発見するならば、システムは、そのカラー化を、発見されたテキストに一致する(matches)ソース・ラスタ・コンテントに適用する。電子的に記憶されたテキスト自身は、カラー化の後に破棄される。このタイプのコンテント・マッチングは、例えば、文書中の至るところでカラー化されるべきキーワードを発見するために使用され得る。
【００１７】
ページの空間的領域、一般的にヘッダ又はフッタ、のカラー化も、ここの実施例で実現され得る。フッタ(footers)又はページ番号をカラー化するために、ユーザは、ページの領域(例えば、底の１インチ)を、カラー化の領域として指定するであろう。同様に、ノックアウト(knockout)・テキスト(これらは一般的に、節のヘッダ又はタイトル・バーとして用いられる)を含む矩形のカラー化が、白のテキストを含むボックス(黒又はグレイ)をカラー化するために、ここの実施例で提供される。いくつかの、ここの実施例は、単一の文書であるという文脈で説明されるが、当業者によって理解されるであろうように、如何なるここの実施例も、カラー化ルールを自動的に、種々の異なった文書に適用する、作業フロー・システムの一部として実現され得る。
【００１８】
従って、以下に、より詳細に説明されるように、ここでの実施例は、カラー化されるべきラスタ文書の一部を識別するための、ＯＣＲの過渡的な(transient)使用、カラー化のための非特定のテキスト特性(例えば、Sans Serifテキスト)の使用、ラスタ文書内のコンテントを発見してカラー化するためのソース画像の使用、ラスタ文書内のコンテントを発見してカラー化するための特定のテキスト・ストリングの使用、ページの特定の幾何学的領域(geometric areas)のカラー化の実行、ノックアウト・テキストを含む対象物(object)のカラー化の実行、及び、他の多くの有用な機能、を提供する。
【００１９】
図１のフローチャートに示されるように、ここの実施例は、モノクロームの(単一カラー印刷の)印刷された文書にカラーを追加する方法を含む。項目100において、１つの実施例は、以前に印刷されたモノクロマチックの文書に関連するカラー化ルールを入力／生成することによって開始する。項目102において、以前に印刷されたモノクロマチョックの文書が、走査され、ラスタ化されたデータ104が探索、及び、生成される。走査の後に、本方法は、項目106において、ラスタ化されたデータについて光学的文字認識を実行して、以前に印刷されたモノクロマチック文書(これは、例えば、モノクロマチックな電子テキスト文書の形式で、一時的に記憶され得る)に対応するテキスト108を探索する。
【００２０】
以上の事項は、如何なる順序でも実行され得るが、ルール100が入力され、ラスタ化されたデータ104が生成された後の、いくつかのポイントにおいて、本方法は、項目110におけるカラー化ルールに従って、モノクロマチック電子文書内の、ラスタ化されたコンテント(例えば、テキスト)の一部を自動的にカラー化し、これは、カラー化された電子文書112を生成する。次に、本方法は、項目114において、カラー化された電子文書を出力(印刷することを含み得る）する。そして、光学的文字認識から得られたデータは、一時的にのみ必要とされたので、カラー化の後に、本方法は、項目116で、光学的文字認識データを削除する。
【００２１】
ここの実施例に適用される、多くの異なったカラー化ルール100が存在しうる。例えば、カラー化ルール100は、選択されたフォント・タイプのテキストに関連する全てのラスタ・データを自動的にカラー化するルールを含み得る。或いは、(又は、以上の技術と共に)、カラー化ルール100は、テキスト内で発生する、全てのフォント・タイプを決定し、どのフォント・タイプが、テキスト内で、所定の頻度で発生するかを決定し、そして、自動的に、少なくとも所定の頻度で発生する(occurs)フォント・タイプを有するテキストに関連するラスタ・データをカラー化する、ルールを含み得る。同様に、カラー化ルール100は、テキスト内で発生する全てのフォント・タイプを決定し、頻度であって、テキスト内で、当該頻度で、異なったフォント・タイプが発生する当該頻度を決定し、テキスト内で、最も少ない頻度で発生するフォント・タイプを有するテキストに関連するラスタ・データを自動的にカラー化する、ルール100を含み得る。
【００２２】
また、カラー化ルール100は、指定されたテキスト・ストリングの全ての発生に関連するラスタ・データを自動的にカラー化するルールを含み得る。更に、カラー化ルール100は、以前に印刷されたモノクロマチック文書の各ページの、事前に定義された領域内で発生するテキストに関連する全てのラスタ・データを自動的にカラー化するルールを含み得る。
【００２３】
他の実施例において、やはり、カラー化ルール100を入力／生成するための方法が提供される。これらのカラー化ルール100は、ロゴ等のような所定のラスタ画像を自動的にカラー化するルールを含む。上述と類似のやり方で、以前に印刷されたモノクロマチックの文書が、走査102されて、ラスタ化されたデータを生成する。しかし、このラスタ化されたデータは、光学的文字認識工程106を適用される(subjected to)必要がない。代わりに、本方法は、(図１に示されるように)項目106及び108をバイパスし、ラスタ化されたデータ項目118を探索して、所定のラスタ画像の発生を特定(locate)し、次に、項目110において所定のラスタ画像の発生を、自動的に、カラー化して、カラー化された電子文書112を生成する。次に、本方法は、カラー化された電子文書を電子的形式で出力することによって、又は、カラー化された文書を印刷することによって、ロゴがカラーで印刷されることの各発生を伴って、カラー化された電子文書を出力(114)できる。
【００２４】
他の修正において、カラー化ルール100は、更に、ラスタ化されたデータの各ページの事前に定義された領域内で発生する所定のラスタ画像の発生のみをカラー化するルールを含み得る。同様に、カラー化ルール100は、更に、所定のラスタ画像の発生のカラー化に加えて、以前に印刷されたモノクロマチック文書の各ページの事前に定義された領域内で発生する、全てのラスタ化された画像を自動的にカラー化するルールを含み得る。
【００２５】
更なる実施例は、ラスタ化されたデータ内で再発生するラスタ画像を自動的に識別し、少なくとも所定の頻度で再発生する、再発生する(recurring)ラスタ画像のいくつかを自動的にカラー化する、カラー化・ルール100を含み得る。更に、カラー化ルール100は、ラスタ化されたデータ内で再発生するラスタ画像を自動的に識別し、再発生するラスタ画像を、選択のためにユーザに提供し、ユーザにより選択された、再発生するラスタ画像のいくつかを自動的にカラー化する、ルール100をも含み得る。
【００２６】
図２に示される他の実施例は、(コンピュータ202内の)中央処理ユニット204、及び、以前に印刷されたモノクロマチックの文書に関連するカラー化ルール100を受けとるようにされたグラフィック・ユーザ・インターフェース205、を含むシステム200を備える。システム200は、コンピュータ202と中央処理ユニット202を介してグラフィック・ユーザ・インターフェース250に作動可能に接続されたスキャナ270をも含む。スキャナ270は、以前に印刷されたモノクロマチックな文書を走査して、ラスタ化されたデータ104を発見するようにされる。システム200内に、ラスタ化されたデータ104及びカラー化された文書112を記憶するために、スキャナ270に作動可能に接続されたメモリ206が提供される。
【００２７】
中央処理ユニット204は、作動可能に、メモリ206に接続され、ラスタ化されたデータについて、光学的文字認識プログラムを実行して、以前に印刷されたモノクロマチックの文書に対応するテキストを生成するようにされる。光学的文字認識プログラム及びシステムは、米国マサチューセッチュのNuance Communications, Inc., Burlington、及び、米国カリフォルニアのサン・ホセのAdobe Systems Incorporatedのような製造者によって製造される、直ぐに利用可能なもの(items)である。読者が、ここの実施例の顕著な側面に集中することを可能とするために、光学的文字認識の詳細は、ここでは削除される。中央処理ユニットは、更に、上述のように、カラー化された電子文書112を生成するために、カラー化ルールによって、ラスタ化されたコンテント110の部分を自動的にカラー化するようにされる。
【００２８】
中央処理ユニット204とコンピュータ202に作動可能に接続され、カラー化された印刷された文書として、カラー化された電子文書112を印刷するようにされたプリンタ260が含まれる。ここでの実施例は、複数のカラーを印刷する能力を有する、如何なる従来的な装置と共にも使用され得る。
【００２９】
ここで用いられるように、印刷された文書は、人間によって読まれ、認識され得る、物理的シート(印刷媒体)上のマーキング(テキスト)を含む明白な対象物を含む。印刷された出版物は、機器によってのみ読まれ得、機器によって人間によって読まれ得るテキストに変換され、機器によって、いくつかの形式の電子ディスプレイ装置上にユーザに対して表示されねばならない、いくつかの形式の電子媒体に(電荷として)記憶される電子文書とは対照的なものである。印刷された出版物は、本、パンフレット、新聞、雑誌、等を含む、如何なるタイプの、物理的ハード・コピー項目をも含み得る。中央処理ユニット204は、更に、中央処理ユニット204が、カラー化された電子文書112を出力(又はプリンタ206が印刷)した後に、光学的文字認識データを削除するようにされる。
【００３０】
上述の実施例は、特に、静電グラフィック、及び／又は、ゼログラフィック機器、及び／又は、工程、及び、電子的メモリ(コンピュータで使用可能なデータ担持体)206に記憶されたソフトウェア・プログラム、及び、サービスに適用可能であり、それによって、上述の方法は、サービス費の対価として他のものに適用される。上述の、開示されたもの、及び、他の特徴及び機能、又は、その代替物が、望ましくは、結合されて、多くの他の異なったシステム又はアプリケーションになり得ることが理解されるであろう。これらの、種々の現在予見不可能な、又は、予期できない、代替物、修正、変形、又は、改善が、将来、当業者によって作られ得、それらのものも、添付の請求項に包含されることが意図される。請求項は、ハードウェア、ソフトウェア、及び／又は、それらの組み合わせの実施例を包含する。
【図面の簡単な説明】
【００３１】
【図１】本願の実施例を説明するフロー図である。
【図２】本願の実施例によるシステムの概略表現である。
【図１】
2008259199.tif 000003
【図２】
2008259199.tif 000004